(57)【要約】【課題】需要者がポケットの位置及び向きを任意に選択してこれを衣類に取り付けできるようにした衣類における携帯電話機用オプショナルポケットを得る。【解決手段】可撓性のシート又はネットを袋状に編成して携帯電話機（７）の出し入れ可能なポケット主体（２）を設け、該ポケット主体（２）の背面側の生地（２ｂ）に、衣類（１）に固着可能な固着材（５）を設ける。また、前記固着材（５）は熱可塑性の接着剤とする。また、前記ポケット主体（２）の正面側の生地（２ａ）に紐、鎖等の連結体（６）が係止できる係止具（４）を設ける。【選択図】図１
2006225813.tif 000002
【特許請求の範囲】
【請求項１】
可撓性のシート又はネットを袋状に編成して携帯電話機（７）の出し入れ可能なポケット主体（２）を設け、該ポケット主体（２）の背面側の生地（２ｂ）に、衣類（１）に固着可能な固着材（５）を設けたことを特徴とする衣類における携帯電話機用オプショナルポケット。
【請求項２】
固着材（５）は熱可塑性の接着剤としたことを特徴とする請求項１記載の衣類における携帯電話機用オプショナルポケット。
【請求項３】
ポケット主体（２）の正面側の生地（２ａ）に、紐、鎖等の連結体（６）が係止できる係止具（４）を設けたことを特徴とする請求項１又は２記載の衣類における携帯電話機用オプショナルポケット。
【発明の詳細な説明】
【技術分野】
【０００１】
本発明は、ワイシャツ、ティシャツ、ブラウス等の衣類に取り付けるポケットに関し、特に携帯電話機が収容できるポケットを需要者がその位置及び向きを任意に選択して衣類に取り付けできるようにした衣類における携帯電話機用オプショナルポケットに関するものである。
【背景技術】
【０００２】
従来の技術として、ワイシャツ類の基材に携帯電話機が収容できるポケットを上下方向、あるいは傾斜させて縫着するとともに、該ポケットの素材を電磁波遮断素材、防水素材等により形成し、携帯電話機から発する電磁波の悪影響を防止するとともに、着用者の汗等による携帯電話機への悪影響を防止するようにしたものがあった。
【０００３】
前記従来のポケットは、ワイシャツ類を製造する時点で該ワイシャツ類の基材に縫着されているため、その取り付け位置及び向きが需要者（着用者）の希望に必ずしも沿うものではなかった。即ち、需要者には、左利き、右利きがあり、また、作業、趣味等の生活形態によって衣類への装着品の種類及び装着位置が異なり、製造メーカー側では前記ポケットの取り付け位置及び向きを各需要者の希望に全て対応させることができないものであった。
【０００４】
【特許文献１】特開２０００−６４１０１号公報
【発明の開示】
【発明が解決しようとする課題】
【０００５】
本発明は、需要者がポケットの位置及び向きを任意に選択してこれを衣類に取り付けできるようにした新規な衣類における携帯電話機用オプショナルポケットを得ることを目的とする。
【課題を解決するための手段】
【０００６】
本発明は、前記目的を達成するために以下の如く構成したものである。即ち、請求項１に係る発明は、可撓性のシート又はネットを袋状に編成して携帯電話機の出し入れ可能なポケット主体を設け、該ポケット主体の背面側の生地に、衣類に固着可能な固着材を設ける構成にしたものである。
請求項２係る発明は、前記固着材を熱可塑性の接着剤としたものである。
請求項３に係る発明は、前記ポケット主体の正面側の生地に紐、鎖等の連結体が係止できる係止具を設けるようにしたものである。
【発明の効果】
【０００７】
請求項１に係る発明は、携帯電話機の出し入れ可能なポケット主体が、固着材を介して衣類の任意の位置に固着できるので、携帯電話機を所持している需要者は前記ポケット主体を自身の使い勝手の良い場所を選択して該当する衣類に固着することができ、携帯電話機を円滑に活用することができる。
請求項２に係る発明は、ポケット主体に設ける固着材を熱可塑性の接着剤としたので、ポケット主体を衣類の所定箇所に載置し、これをアイロン等で加熱すると、前記固着材が融解してポケット主体が衣類に固着されることになる。このため、高度の縫着技能を要することなく、ポケット主体を衣類に容易に固着することができる。また、前記ポケット主体を衣類から離脱させたり、取り付け位置を変更したりする際には、前記固着材をアイロン等で加熱して融解させることにより、該離脱、取り付け位置の変更が容易に行なえることになる。
請求項３に係る発明は、携帯電話機に連結した紐、鎖等の連結体の端部をポケット主体に設けた係止具に係止することによって、携帯電話機の紛失、落下による損傷を未然に防止することができる。
【発明を実施するための最良の形態】
【０００８】
以下本発明の実施例を図面に基いて説明する。図面において、図１は本発明によるポケット主体を衣類に固着した状態の正面図、図２は本発明によるポケット主体の拡大斜視図、図３は図２の背面図、図４は図３のIV-IV線による拡大断面図である。
【０００９】
図１において、１はティーシャツからなる衣類であり、その正面側の左部上部（右前身ごろ上部）に本発明によるポケット主体（オプショナルポケット）２を固着する。該ポケット主体２は、１個の携帯電話機７が出し入れできるように、上下に細長い袋状となっている。
【００１０】
前記ポケット主体２は、図２に示すように、左右に小幅な２枚の布材を重ね合わせてその左右縁部及び下縁部を縫着し、上部に口３を有する。正面側の生地２ａの左部上端部に紐、鎖等の連結体５が係止できる係止具４を取り付ける。該係止具４は、本例では生地２ａに小径の基板４ａを取り付け、該基板４ａに金属製のリング４ｂを回動可能に連結してなる。なお、前記ポケット主体２は、ネットあるいは電磁波遮断素材により形成するようにしてもよい。
【００１１】
前記連結体５は、図１に示すように、携帯電話機７に連結した紐、鎖等の連結体６の端部を前記リング４ｂに係止することにより、携帯電話機７の紛失、落下による損傷が未然に防止できるようにするためのものである。
【００１２】
前記ポケット主体２の背面側の生地２ｂに固着材５を固着する。該固着材５は熱可塑性の接着剤、本例では、両面にアクリル系粘着剤を固着した市販の両面テープからなる。該両面テープは粘着剤の表面に剥離シートが貼られ、一方の面の剥離シートを剥がして図３に示すように、背面側の生地２ｂの外周縁部全域及び左右中心部に張り巡らせて押し付けることにより、前記両面テープの一方の面を背面側の生地２ｂに仮固着する。
【００１３】
次いで、前記両面テープの他方の面の剥離シートを剥がし、該剥離した両面テープの他方の面を前記衣類１の所定箇所に配置し。該衣類１の生地に押し付けて仮固着する。次いで、所定温度に昇温させたアイロンを用意し、該アイロンで前記ポケット主体２をその正面側の生地２ａから衣類１に向けて加圧し、前記固着材５を融解させてポケット主体２を衣類に本固着する。なお、前記固着材５は、背面側の生地２ｂの全面に張るようにしてもよい。また、該固着材５は布材の接着に有効な液状の接着剤としてもよい。
【００１４】
前記ポケット主体２の衣類１への固着は、携帯電話機７を所持している需要者が自身の使い勝手の良い場所を選択して固着する。例えば、図１の仮想線（ア）で示すように、衣類１の正面側の左側下部に右傾斜させて固着、図１の仮想線（イ）で示すように、衣類１の正面側の右側上部に左傾斜させて固着、あるいは、図１の仮想線（ウ）で示すように、衣類１の正面側の右側下部に上向きにして固着する。なお、前述した衣類１はティーシャツに換え、ワイシャツ、ブラウス、コート等としてもよい。
【００１５】
前記実施例によれば、携帯電話機７を所持している需要者自身が、使い勝手の良い場所を選択してポケット主体２を該当する衣類１に固着することができるので、好みの衣類を着用して携帯電話機７を円滑に活用することができる。また、固着材５を熱可塑性の接着剤とし、ポケット主体２をアイロン等で衣類の所定箇所に固着することができるようにしたので、縫製に未熟な者であっても、該ポケット主体２を衣類１に容易に固着することができる。しかも、衣類に固着したポケット主体２をアイロン等で加熱して固着材５を融解させることにより、前記ポケット主体２を衣類１から離脱させたり、取り付け位置を変更したりことができる。また、携帯電話機７に連結した紐、鎖等の連結体６の端部をポケット主体２に設けた係止具４に係止することによって、携帯電話機７の紛失、落下による損傷を未然に防止することができる。
【図面の簡単な説明】
【００１６】
【図１】本発明によるポケット主体を衣類に固着した状態の正面図である。
【図２】本発明によるポケット主体の拡大斜視図である。
【図３】図２の背面図である。
【図４】図３のIV-IV線による拡大断面図である。
【符号の説明】
【００１７】
１    衣類
２    ポケット主体（オプショナルポケット）
２ａ  正面側の生地
２ｂ  背面側の生地
３    口
４    係止具
４ａ  基板
４ｂ  リング
５    固着材
６    連結体
７    携帯電話機
【図１】
2006225813.tif 000003
【図２】
2006225813.tif 000004
【図３】
2006225813.tif 000005
【図４】
2006225813.tif 000006